(57)【要約】【課題】携帯電話装置等の起動周期の最適化、消費電力の低減等を図る。【解決手段】携帯電話用アンテナ１２で受信した無線信号の受信データを無線部１４から出力する。受信データが入力されるレベル検出部１６ａが受信電界レベルを検出してＡＦＣ制御部１６ｂへ出力する一方、ＧＰＳ用アンテナ２０で受信したＧＰＳ受信信号からＧＰＳ部２２が移動速度情報を検出してＡＦＣ制御部１６ｂへ出力する。ＡＦＣ制御部１６ｂは、受信電界レベルがしきい値未満であるとき、移動速度で速度−ＡＦＣ機能起動周期対応テーブル１６ｃを索引して得たＡＦＣ機能起動周期でＴＣＸＯ１８から出力される発振信号の周波数を補正する。【選択図】図１
2009077171.tif 000002
【特許請求の範囲】
【請求項１】
被駆動手段と、駆動信号を前記被駆動手段に供給する駆動手段とを有する可搬型通信装置であって、
該可搬型通信装置が移動したときの移動速度を検出する測定手段と、
前記駆動手段の起動周期を、前記測定手段によって検出された前記移動速度に基づいて補正する起動周期補正手段を備えることを特徴とする可般型通信装置。
【請求項２】
前記被駆動手段は、アンテナで受信された受信信号を復調する復調部であり、前記駆動手段は、前記復調部での復調に用いる発振信号を前記復調部に供給する発振手段であり、前記発振手段の起動周期は、前記測定手段及び前記起動周期補正手段により補正されることを特徴とする請求項１記載の可搬型通信装置。
【請求項３】
前記測定手段は、ＧＰＳ用アンテナと、該ＧＰＳ用アンテナで受信されるＧＰＳ信号に基づいて前記移動速度を出力するＧＰＳ部とからなることを特徴とする請求項１又は２記載の可搬型通信装置。
【請求項４】
前記測定手段は、前記復調部から出力される受信データに基づいて前記移動速度を検出する速度検出手段であることを特徴とする請求項１又は２記載の可搬型通信装置。
【請求項５】
前記測定手段は、前記可搬型通信装置に設けられる加速度センサと、該加速度センサから出力される加速度に基づいて前記移動速度を算出する算出手段とからなることを特徴とする請求項１又は２記載の可搬型通信装置。
【請求項６】
前記起動周期補正手段は、前記復調部から出力される受信データに基づいて受信電界レベルを検出するレベル検出手段と、前記発振手段の起動を行うＡＦＣ制御手段と、前記移動速度と前記起動周期との速度−起動周期対応テーブルとを含み、前記ＡＦＣ制御手段は、前記レベル検出手段で検出される受信電界レベルが所定のしきい値未満であるとき、前記速度−起動周期対応テーブルを前記移動速度で索引して得られる起動周期で動作されることを特徴とする請求項２、３、４または５記載の可搬型通信装置。
【請求項７】
前記起動周期補正手段は、前記移動速度と前記起動周期との所定の関係式を登録する記憶手段と、該記憶手段を読み出して前記関係式の演算を行う演算手段とを有することを特徴とする請求項１乃至５のいずれか一に記載の可搬型通信装置。
【請求項８】
前記被駆動手段は、アンテナで受信された受信信号の周波数を探索する無線部であり、前記駆動手段は、前記無線部での探索に用いる探索起動信号を前記無線部に供給する手段であり、前記無線部の起動周期は、前記測定手段及び前記起動周期補正手段により補正されることを特徴とする請求項１記載の可搬型通信装置。
【請求項９】
前記測定手段は、ＧＰＳ用アンテナと、該ＧＰＳ用アンテナで受信されるＧＰＳ信号に基づいて前記移動速度を出力するＧＰＳ部とからなることを特徴とする請求項８記載の可搬型通信装置。
【請求項１０】
前記測定手段は、前記無線部から出力されるデータ信号に基づいて前記移動速度を出力する速度検出部とからなることを特徴とする請求項８記載の可搬型通信装置。
【請求項１１】
前記測定手段は、前記可搬型通信装置に設けられる加速度センサと、該加速度センサから出力される加速度に基づいて前記移動速度を算出する算出手段とからなることを特徴とする請求項８記載の可搬型通信装置。
【請求項１２】
前記起動周期補正手段は、前記無線部から出力される受信データに基づいて受信電界レベルを検出するレベル検出手段と、前記無線部の起動を行う無線制御手段と、前記移動速度と前記探索起動周期との速度−探索起動周期対応テーブルとを含み、前記無線制御手段は、前記レベル検出手段で検出される受信電界レベルが所定のしきい値未満であるとき、前記速度−探索起動周期対応テーブルを前記移動速度で索引して得られる探索起動周期で動作されることを特徴とする請求項８、９，１０又は１１記載の可搬型通信装置。
【請求項１３】
前記起動周期補正手段は、前記無線部から出力される受信データに基づいて受信電界レベルを検出するレベル検出手段と、前記無線部の起動を行う無線制御手段と、前記移動速度と前記探索起動周期との所定の関係式を登録する記憶手段と、該記憶手段を読み出して前記関係式の演算を行う演算手段とを含み、前記無線制御手段は、前記レベル検出手段で検出される受信電界レベルが所定のしきい値未満であるとき、前記演算手段で前記演算式の演算を行って得られる起動周期で動作されることを特徴とする請求項８、９、１０又は１１記載の可搬型通信装置。
【請求項１４】
駆動手段から出力される駆動信号に応答して動作する被駆動手段を有する可搬型通信装置の起動周期補正方法であって、
該可搬型通信装置が移動したときの移動速度を検出し、
前記駆動手段の起動周期を、検出された前記移動速度に基づいて補正することを特徴とする可般型通信装置の起動周期補正方法。
【請求項１５】
前記被駆動手段の動作は、アンテナで受信された受信信号の復調であり、前記駆動手段から出力される駆動信号は、発振手段から出力される発振信号であり、該発振信号の出力周期は、前記移動速度に基づいて補正されることを特徴とする請求項１４載の可搬型通信装置の起動周期補正方法。
【請求項１６】
前記移動速度の検出は、ＧＰＳ用アンテナで受信されるＧＰＳ信号に基づいて行うことを特徴とする請求項１５記載の可搬型通信装置の起動周期補正方法。
【請求項１７】
前記移動速度の検出は、前記復調から得られる受信データに基づいて前記移動速度を算出することを特徴とする請求項１５記載の可搬型通信装置の起動周期補正方法。
【請求項１８】
前記移動速度の検出は、前記可搬型通信装置に設けられる加速度センサから出力される加速度に基づいて行うことを特徴とする請求項１５記載の可搬型通信装置の起動周期補正方法。
【請求項１９】
前記起動周期の補正は、前記受信信号の受信電界レベルが所定のしきい値未満のとき、前記移動速度と前記起動周期との速度−起動周期対応テーブルを前記移動速度で索引して得られる起動周期で行うことを特徴とする請求項１４乃至１８のいずれか一に記載の可搬型通信装置の起動周期補正方法。
【請求項２０】
前記起動周期の補正は、前記受信信号の受信電界レベルが所定のしきい値未満のとき、前記移動速度と前記起動周期との所定の関係式を演算して得られる起動周期で行うことを特徴とする請求項１４乃至１８のいずれか一に記載の可搬型通信装置の起動周期補正方法。
【請求項２１】
前記被駆動手段の動作は、前記アンテナで受信された前記受信信号の周波数の探索であり、前記駆動手段から出力される駆動信号は、前記周波数の探索に用いる探索駆動信号であり、該探索駆動信号の出力周期は、前記移動速度に基づいて補正されることを特徴とする請求項１４載の可搬型通信装置の起動周期補正方法。
【請求項２２】
前記移動速度の検出は、ＧＰＳ用アンテナで受信されるＧＰＳ信号に基づいて行うことを特徴とする請求項２１記載の可搬型通信装置の起動周期補正方法。
【請求項２３】
前記移動速度の検出は、前記無線部から出力されるデータ信号に基づいて行うことを特徴とする請求項２１記載の可搬型通信装置の起動周期補正方法。
【請求項２４】
前記移動速度の検出は、前記可搬型通信装置に設けられる加速度センサから出力される加速度に基づいて行うことを特徴とする請求項２１記載の可搬型通信装置の起動周期補正方法。
【請求項２５】
前記起動周期の補正は、前記受信信号の受信電界レベルが所定のしきい値未満のとき、前記移動速度と前記探索起動周期との速度−探索起動周期対応テーブルを前記移動速度で索引して得られる探索起動周期で行うことを特徴とする請求項２１、２２、２３又は２４記載の可搬型通信装置の起動周期補正方法。
【請求項２６】
前記起動周期の補正は、前記受信信号の受信電界レベルが所定のしきい値未満のとき、前記移動速度と前記探索起動周期との所定の関係式の演算を行して行うことを特徴とする請求項２１、２２、２３又は２４記載の可搬型通信装置の起動周期補正方法。
【発明の詳細な説明】
【技術分野】
【０００１】
この発明は、可搬型通信装置及びその起動周期補正方法に関し、詳しくは被駆動部へ駆動信号を出力する駆動手段の起動周期を改良した可搬型通信装置及びその起動周期補正方法に関する。
【背景技術】
【０００２】
携帯電話装置では、携帯電話装置のターゲット周波数がフェージングにより受信周波数からずれることがある。そのフェージングは、例えば、通信中の携帯電話装置の移動や、建物等で生ずる電波の反射によって生ずる。
その周波数ずれは、正常な通信を妨げるので、携帯電話装置にＡＦＣ（Ａuto Ｆreqency Ｃontrol）機能を装備して周波数ずれを補正し、ターゲット周波数を受信周波数に追従させ、通信の同期を維持して正常な通信を行い得るようにしている。
【０００３】
その例（以下、公知例という）は、例えば、図９に示すように、携帯電話用アンテナ１２から無線部１４に入力される受信電波は、無線部１４の内部に設けられた周波数発生部１４ａで生成されたターゲット周波数の信号を用いて受信データに変換される。その受信データは制御部１６に供給される。
上述の受信データの変換に用いられるターゲット周波数の信号は、ＴＣＸＯ（Ｔemperature Ｃompensated Ｃrystal Ｏscilater）１８、すなわち、温度補償型水晶発振器から出力される発振信号を元に生成される。
【０００４】
制御部１６は、入力される受信データから受信電波の周波数を得て、この周波数と周波数発生部１４ａから出力しているターゲット周波数とのずれを検出する。制御部１６は、検出した周波数ずれに基づいてその周波数ずれを抑えるようにＴＣＸＯ１８の発振信号の周波数を補正する。
これにより、周波数補正された発振信号から生成される信号のターゲット周波数も補正されて受信周波数とターゲット周波数との同期が取られて通信を維持する。
【０００５】
また、特許文献１には、送受信機間の原発振周波数生成用ＶＣＴＣＸＯの周波数誤差を減少させる自動周波数制御装置が示されている。この自動周波数制御装置は、パイロットチャネルから受信されるパイロット信号を逆拡散し、その逆拡散されたパイロット信号に基づいて周波数誤差を算出して周波数誤差の正負を判定し、１制御当りの周波数制御値を出力した後、前回のＡＦＣ制御値から今回の周波数制御値を差し引き、新たなＡＦＣ制御値を出力し、そのＡＦＣ制御値に応じて制御電圧を補正し、この補正された制御電圧により原発振周波数生成用のＶＣＴＣＸＯの発振周波数を制御するようにして構成される。この構成に加えて、以下に述べる第１、第２、第３及び第４の特徴部分を別個に付加してこれら特徴部分毎の自動周波数制御装置の全体が構成されている。
【０００６】
この第１の特徴部分は、データチャネルから受信されるデータ信号を逆拡散し、逆拡散されたデータシンボルとパイロットチャネル逆拡散部で逆拡散されたパイロットシンボルとに基づいて位相の回転を補正して復調データを生成し、続いて生成された復調データを用いて位置情報を抽出した後、抽出した位置情報に基づいてＡＦＣ制御間隔での平均速度（移動速度）を算出し、一定の平均速度以上の移動速度が検出されるとき、上述したＡＦＣ制御値の更新を行わない制御を行うようにして構成されるものである。
【０００７】
また、第２の特徴部分は、上述した第１の特徴部分におけるＡＦＣ制御値の更新制御を次のようにして構成されて成るものである。すなわち、上述のようにして逆拡散されたパイロット信号の信号レベルと移動速度に基づいてＡＦＣ制御閾値の可変的制御を行いつつ、ＡＦＣ制御値の更新を行うようにして第２の特徴部分は構成される。
また、第３の特徴部分は、上述した第２の特徴部分におけるＡＦＣ制御値の更新を次のようにして構成されて成るものである。すなわち、ＡＦＣ制御閾値の可変的制御を上述のようにして逆拡散されたパイロット信号の信号レベルと、移動速度と、周波数誤差値の平均化回数とに基づいて行うようにして第３の特徴部分は構成される。
また、第４の特徴部分は、上述した第２の特徴部分におけるＡＦＣ制御値の更新を次のようにして構成されて成るものである。すなわち、ＡＦＣ制御閾値の可変的制御を上述のようにして逆拡散されたパイロット信号の信号レベルと、移動速度と、周波数誤差値の算出タイミングとに基づいて行うようにして第４の特徴部分は構成される。
【０００８】
特許文献２には、基地局、例えば、ＥＴＣシステム（Ｅlectronic Ｔoll Ｃollection Ｓystem）の基地局から発信される信号を受信する受信装置（移動局）の受信回路の動作を時系列上で変える受信装置及び受信方法が開示されている。これらの装置及び方法の第１の特徴部分は、受信回路で受信電界強度信号を検出し、この受信電界強度信号のレベルを受信装置が通信領域内であって通信開始レベルを示す第１の閾値及び該第１の閾値よりも低い値であって連続電界測定開始レベルを示す第２の閾値と比較してその比較結果に応じて上記受信回路を間歇動作又は連続動作のいずれか一方を生じさせるようにして構成されている。ここで云う受信回路の動作とは受信回路への電源の供給である。
【０００９】
上記第１の特徴部分において、受信装置が基地局から遠く、上記レベルが第２の閾値より小さいときは、受信回路の電源を周期的にＯＮ、ＯＦＦする。受信装置が基地局に近づき、上記レベルが第２の閾値を超えると、受信回路への電源の供給を連続して行う。
そして、受信装置が、さらに基地局へ近づき、上記レベルが第１の閾値を超えると、受信回路への電源の供給を持続すると共に、復調回路、信号処理回路への電源の供給が開始され始める。
【００１０】
また、特許文献２には、上記第１の特徴部分では生じてしまう受信回路の電源供給の断続を防止する第２の特徴部分も開示されている。この第２の特徴部分は、上記第１の特徴部分における第２の閾値を第１の境界値と第２の境界値とで構成される。
また、特許文献２には、上記第１の特徴部分では生じてしまう受信回路の電源供給の遅延を防止する第３の特徴部分も開示されている。この第３の特徴部分は、
受信装置の移動速度に応じて上記第２の閾値を変更するようにして構成されている。
また、特許文献２には、上記第１の特徴部分で行われる受信回路の電源供給を受信装置の移動速度に応じて変更する第４の特徴部分も開示されている。すなわち、上記レベルが上記第２の閾値より小さいとき、受信回路の電源の供給を断続する周期を変更するようにして構成されている。
【特許文献１】特開２００２−０２６７６９号公報
【特許文献２】特開２００６−１３５９２９号公報
【発明の開示】
【発明が解決しようとする課題】
【００１１】
ところで、上述の公知例の技術によれば、ＡＦＣ機能は、常時、起動されていると考えられるため、消費電力の増大が避けられない。これは、携帯電話装置に高付加機能が装備される携帯電話装置で要求さされる節電対策に沿わない結果となる。
【００１２】
また、特許文献１は、移動局装置、例えば、携帯電話機の移動に伴うフェージングによる周波数誤差の減少は達成し得るとはいうものの、そこでのＶＣＴＣＸＯの制御は、上記公知例と同様、ＴＣＸＯ機能を連続的に動作させているものと考えられ、上記公知例と同様の技術的課題が残っていると云える。
また、特許文献２は、基地局に対して移動する受信装置の受信回路への電源の停止若しくは供給又は周期的断続を、受信電界レベルが２つの閾値に対して取る関係と受信装置の移動速度とに応じて行い得るとはいうものの、それ以外への論及乃至は示唆は認められず、上記公知例と同様の技術的課題が残っていると云える。
したがって、ＡＦＣ機能、ＴＣＸＯ機能又は受信回路を動作させる態様を如何に設定して消費電力の低減に役立たせるかという技術的課題は、なお、未解決のままである。
【００１３】
この発明は、上述の事情に鑑みてなされたもので、被駆動部へ駆動信号を出力する駆動手段の起動周期を移動速度に応じて可変的に行う可搬型通信装置及びその起動周期補正方法を提供することを目的としている。
【課題を解決するための手段】
【００１４】
上記課題を解決しようとする発明は、被駆動手段と、被駆動手段に駆動信号を供給する駆動手段とを有する可搬型通信装置に係り、この可搬型通信装置は、可搬型通信装置が移動したときの移動速度を検出する測定手段と、駆動信号を出力する駆動手段の起動周期を、測定手段によって検出された移動速度に基づいて補正する起動周期補正手段を備えることを特徴としている。
【００１５】
また、他の発明は、駆動手段から出力される駆動信号に応答して動作する被駆動手段を有する可搬型通信装置の起動周期補正方法に係り、この起動周期補正方法は、可搬型通信装置が移動したときの移動速度を検出し、駆動手段の起動周期を、検出された移動速度に基づいて補正することを特徴としている。
【発明の効果】
【００１６】
この発明によれば、被駆動手段と、被駆動手段に駆動信号を供給する駆動手段とを有する可搬型通信装置が移動したときの移動速度を検出し、検出された移動速度で駆動手段の起動周期を補正するようにしているから、駆動手段を最適な起動周期で起動し得ると共に、その駆動に要する消費電力の低減も図ることができる。
この効果は、携帯電話装置等のＡＦＣ機能や周波数探索で得られる。
【発明を実施するための最良の形態】
【００１７】
この発明は、被駆動手段と、被駆動手段に駆動信号を供給する駆動手段とを有する可搬型通信装置の中に、該可搬型通信装置が移動したときの移動速度を検出することと、検出された移動速度で上記駆動手段の起動周期を補正することを含ませて構成される。
【実施形態１】
【００１８】
図１は、この発明の実施形態１である携帯電話装置の電気的構成を示す図、図２は、同携帯電話装置の速度−ＡＦＣ機能起動周期対応テーブルを示す図、また、図３は、同携帯電話装置の処理手順を示すフローチャートである。
この実施形態の携帯電話装置１０は、受信電界の弱い場所や、ノイズが強い場所での受信電界レベルと自装置の移動速度とに基づいてＡＦＣ機能の起動周期を補正する機能を備える装置に係り、図１に示すように、携帯電話用アンテナ１２と、無線部１４と、制御部１６と、TCXO（Ｔemperature Ｃompensated Ｃrystal Ｏscilater）（温度補償型水晶発振器）１８と、ＧＰＳ用アンテナ２０と、ＧＰＳ部２２とから概略構成されている。
【００１９】
携帯電話用アンテナ１２（以下、単にアンテナ１２という）は、基地局（図示せず）と携帯電話装置１０との間で無線信号（通信電波）の送受に用いる素子である。
無線部１４は、周波数発生部１４ａを有し、アンテナ１２で受信される無線信号を周波数発生部１４ａから出力されるターゲット周波数の復調用信号（クロック信号）に応答して受信データに復調して制御部１６に出力する一方、制御部１６からの送信データをクロック信号に応答して送信信号を生成してアンテナ１４ａに出力する変換部である。周波数発生部１４ａは、ターゲット周波数のクロック信号の生成に用いる発振信号の供給をＴＣＸＯ１８から受ける。
【００２０】
制御部１６は、レベル検出部１６ａと、ＡＦＣ制御部１６ｂと、速度−ＡＦＣ機能起動周期対応テーブル１６ｃとを有する。レベル検出部１６ａは、無線部１４から供給される受信データに基づいて受信電界レベル及び通信品質を検出する。速度−ＡＦＣ機能起動周期対応テーブル１６ｃは、ＧＰＳ部２２から出力される移動速度とＡＦＣ機能起動周期とを移動速度で索引可能に記憶する記憶手段である。
ＡＦＣ制御部１６ｂは、レベル検出部１６ａで検出された受信電界レベルと移動速度とに基づいてＡＦＣ機能の起動周期を補正し、ＴＣＸＯ１８から出力される発振信号周波数を補正する。その補正を以下に説明する。
【００２１】
すなわち、ＡＦＣ制御部１６ｂは、受信電界レベルがしきい値以上のときは、自装置の移動速度と無関係に、そのＡＦＣ機能を固定周期で起動し、そのＡＦＣ機能において、受信データから得られる受信電波信号の周波数と携帯電話装置１０に現在設定されているクロック信号の周波数（ターゲット周波数）とのずれを検出してクロック信号と受信電波信号とを同期させるようにＴＣＸＯ１８の出力周波数を上記固定周期で補正して正常な通信を続行させる。
また、ＡＦＣ制御部１６ｂは、受信電界レベルがしきい値未満のときは、ＧＰＳ部２２で検出され、ＡＦＣ制御部１６ｂに通知される自装置の移動速度で速度−ＡＦＣ機能起動周期対応テーブル１６ｃを索引して得られるＡＦＣ機能起動周期でＡＦＣ機能を起動し、受信データから得られる受信電波信号の周波数と携帯電話装置１０に現在設定されているクロック信号の周波数（ターゲット周波数）とのずれを検出してクロック信号と受信電波信号とを同期させるようにＴＣＸＯ１８の出力周波数を上記起動周期毎に補正して正常な通信を行う。
【００２２】
ＴＣＸＯ１８は、周波数発生部１４ａから出力されるターゲット周波数のクロック信号の元となる周波数の発振信号を出力する信号発生部である。
ＧＰＳ用アンテナ２０は、ＧＰＳ衛星（図示せず）からのＧＰＳ信号を受信するアンテナであり、ＧＰＳ用アンテナ２０で受信したＧＰＳ信号は、ＧＰＳ部２２へ供給される。ＧＰＳ部２２はＧＰＳデータを復調し、そのＧＰＳデータに基づいて移動速度を検出し、移動速度データ（移動速度情報）をＡＦＣ制御部１６ｂへ供給する。
【００２３】
次に、図１乃至図３を参照して、この実施形態の動作について説明する。
アンテナ１２において受信される、図示しない基地局からの無線信号（通信電波）は、無線部１４に供給される。その無線部１４は、供給される無線信号を周波数発生部１４ａから出力されるターゲット周波数のクロック信号に応答して受信データに復調して制御部１６に出力する。
【００２４】
制御部１６のレベル検出部１６ａは、無線部１４から供給される受信データに基づいて受信電界レベル及び通信品質を検出する。ＡＦＣ制御部１６ｂは、レベル検出部１６ａで検出された受信電界レベルとしきい値との大小関係とＧＰＳ部２２から受け取る自装置の移動速度とに基づくＡＦＣ機能起動周期でＡＦＣ機能を起動し、ＴＣＸＯ１８の発振信号の周波数を補正する。ＡＦＣ制御部１６ａにおける補正態様を説明すると次の通りである。
【００２５】
レベル検出部１６ａで検出された受信電界レベルがしきい値であるか否かを判定する（図３のステップＳ１）。受信電界レベルがしきい値である以上のときは（図３のステップＳ１のyes）、自装置の移動速度とは無関係に、ＡＦＣ制御部１６ｂのＡＦＣ機能を固定周期で起動する（図３のステップＳ２）。ＡＦＣ機能は、受信データから得られる受信電波信号の周波数と携帯電話装置１０に現在設定されているクロック信号の周波数（ターゲット周波数）とのずれを検出してクロック信号と受信電波信号とを同期させるようにＴＣＸＯ１８の出力周波数を固定周期で補正して正常な通信を行う。
【００２６】
これに対して、受信電界レベルがしきい値未満のときは（図３のステップＳ１のno）、制御部１６は、速度−ＡＦＣ機能起動周期対応テーブル１６ｃ（図２）を、ＧＰＳ部２２で検出されＡＦＣ制御部１６ｂに通知される自装置の移動速度で索引する（図３のステップＳ３）。こうして索引されたＡＦＣ機能起動周期でＡＦＣ制御部１６ｂを起動し、受信データから得られる受信電波信号の周波数と携帯電話装置１０に現在設定されているクロック信号の周波数（ターゲット周波数）とのずれを検出してクロック信号と受信電波信号とを同期させるようにＴＣＸＯ１８の出力周波数を上記起動周期毎に補正して正常な通信を行う（図３のステップＳ４）。
例えば、ＧＰＳ部１８で検出された移動速度が１５ｋｍ／ｈであった場合には、速度−ＡＦＣ機能起動周期対応テーブル１６ｃを索引してＡＦＣ機能の起動周期を４０秒間隔（図２）として通信を行う。
【００２７】
このように、この実施形態の構成によれば、受信電界レベルがしきい値未満のとき、自装置の移動速度に応じたＡＦＣ機能起動周期でＡＦＣ機能を起動しているので、ＡＦＣ機能の起動周期を最適化し、消費電力を低減することができる。
【実施形態２】
【００２８】
図４は、この発明の実施形態２である携帯電話装置の電気的構成を示す図である。
この実施形態の構成が実施形態１のそれと異なるところは、ＧＰＳ用アンテナ及びＧＰＳ部を速度検出部で代替した点である。
すなわち、この実施形態の携帯電話装置１０Ａは、図４に示すように、その制御部１６Ａを次のように構成したことにその特徴部分がある。制御部１６Ａは、レベル検出部１６ａと、ＡＦＣ制御部１６ｂと、速度−ＡＦＣ機能起動周期対応テーブル１６ｃと、速度検出部１６ｄとから構成される。
【００２９】
速度検出部１６ｄは、無線部１４から出力される受信データを受け取り、その受信データに基づいて携帯電話装置１０ａが移動した場合の移動速度を算出する処理手段であり、算出された移動速度のデータは、ＡＦＣ制御部１６ｂに渡される。
この実施形態のその他の構成は、実施形態１と同様であるので、その逐一の説明は省略する。
【００３０】
次に、図４を参照して、この実施形態の動作について説明する。
アンテナ１２において受信される、図示しない基地局からの無線信号（通信電波）から受信データへの復調処理は、実施形態１と同様であり、制御部１６のレベル検出部１６ａにおける受信データに基づく受信電界レベル及び通信品質の検出も、実施形態１と同様である。
この受信電界レベルの検出と平行して携帯電話装置１０Ａが移動するときの移動速度が、無線部１４から供給される受信データを用いて速度検出部１６ｄで検出される。その移動速度データは、速度検出部１６ｄからＡＦＣ制御部１６ｂへ渡される。
【００３１】
ＡＦＣ制御部１６ｂへは、レベル検出部１６ａから受信電界レベルが、実施形態１と同様にして渡される。
そのＡＦＣ制御部１６ｂでの受信電界レベルと移動速度に基づくＡＦＣ機能起動周期でＡＦＣ機能を起動し、ＴＣＸＯ１８の発振信号周波数の補正を行うが、その補正態様は、実施形態１と同様である。
【００３２】
このように、この実施形態の構成によれば、実施形態１のＧＰＳ用アンテナ及びＧＰＳ部を不要しつつ、実施形態１と同効を得ることができる。
【実施形態３】
【００３３】
図５は、この発明の実施形態３である携帯電話装置の電気的構成を示す図、図６は、同携帯電話装置の速度−周波数探索起動周期対応テーブルを示す図、また、図７は、同携帯電話装置の処理手順を示すフローチャートである。
この実施形態の携帯電話装置３０は、無線信号の周波数探索の起動周期を移動速度に基づいて補正する機能を有する装置に係り、図５に示すように、携帯電話用アンテナ１２と、無線部１４と、ＧＰＳ用アンテナ２０と、ＧＰＳ部２２と、制御部３２とを有して構成される。携帯電話用アンテナ１２と、無線部１４と、ＧＰＳ用アンテナ２０と、ＧＰＳ部２２とは、実施形態１と同様の構成要素で、したがって同一の参照番号を付してある。
【００３４】
制御部３２は、レベル検出部３２ａと、無線制御部３２ｂと、速度−周波数探索起動周期対応テーブル３２ｃとから構成されている。レベル検出部３２ａは、実施形態１のレベル検出部１６ａと同様のもので、無線部１４から出力される受信データに基づいて受信電界レベルを検出するものである。
速度−周波数探索起動周期対応テーブル３２ｃは、ＧＰＳ部２２から出力される移動速度と無線信号の周波数を探索する起動周期とを移動速度で索引可能に記憶する記憶手段である。
【００３５】
無線制御部３２ｂは、レベル検出部３２ａで検出した受信電界レベルとＧＰＳ部から出力される移動速度とに基づいて携帯電話装置３０で受信する無線信号の周波数を探索する周波数探索起動周期を補正する手段である。その補正は、次のように構成されている。
すなわち、無線制御部３２ｂは、受信電界レベルがしきい値以上のときは、自装置の移動速度と無関係に、無線制御部３２ｂの周波数探索起動周期を固定周期で起動してその固定周期で周波数の探索を行う。
また、無線制御部３２ｂは、受信電界レベルがしきい値未満のときは、ＧＰＳ部２２で検出され、無線制御部３２ｂに通知される自装置の移動速度で速度−周波数探索起動周期対応テーブル３２ｃを索引して移動速度対応で索引される周波数探索周期で周波数探索機能を起動し、移動速度で速度−周波数探索起動周期対応テーブル３２ｃを索引して得られる周波数探索起動周期で周波数の探索を行う。
【００３６】
次に、図５乃至図７を参照して、この実施形態の動作について説明する。
図示しない基地局から送信されてアンテナ１２において受信される無線信号（通信電波）から受信データを復調する無線部１４の動作は、実施形態１と同様である。また、制御部３２のレベル検出部３２ａにおける受信データに基づいて受信電界レベル及び通信品質の検出も、実施形態１と同様である。
【００３７】
無線制御部３２ｂは、レベル検出部３２ａで検出された受信電界レベルとＧＰＳ部２２から出力される移動速度データとに基づいて無線部１４で受信される無線信号の周波数探索起動周期の補正を行う。その補正を以下に説明する。
【００３８】
レベル検出部３２ａで検出された受信電界レベルがしきい値であるか否かを判定する（図７のステップＳ１Ａ）。受信電界レベルがしきい値である以上のときは（図７のステップＳ１Ａのyes）、自装置の移動速度とは無関係に、無線制御部３２ｂの周波数探索機能を固定周期で起動する（図７のステップＳ２Ａ）。周波数探索機能は、その固定周期で無線信号の周波数探索を行う。
【００３９】
これに対して、受信電界レベルがしきい値未満のときは（図７のステップＳ１Ａのno）、ＧＰＳ部２２で検出され、無線制御部３２ｂに通知される自装置の移動速度で速度−周波数探索起動周期対応テーブル３２ｃ（図６）を索引する（図７ステップＳ３Ａ）。こうして得られる周波数探索起動周期で周波数探索機能を起動し、その周波数探索起動周期での周波数探索を無線部１４で行う（図７のステップＳ４Ａ）。
例えば、ＧＰＳ部１８で検出された移動速度が２５ｋｍ／ｈであった場合には、速度−周波数探索起動周期対応テーブル３２ｃを索引して周波数探索機能の起動周期を１５秒間隔として周波数の探索を行う。
【００４０】
このように、この実施形態の構成によれば、受信電界レベルがしきい値未満のとき、自装置の移動速度に応じた周波数探索起動周期（起動周期）で周波数探索機能を起動しているので、周波数探索機能の起動周期を最適化し、消費電力を低減するのに役立つ。
【実施形態４】
【００４１】
図８は、この発明の実施形態４の携帯電話装置の電気的構成を示す図である。
この実施形態の構成が実施形態３のそれと異なるところは、ＧＰＳ用アンテナ及びＧＰＳ部を速度検出部で代替した点である。
すなわち、この実施形態の携帯電話装置３０Ａは、図８に示すように、その制御部３２Ａを次のように構成したことにその特徴部分がある。制御部３２Ａは、レベル検出部３２ａと、無線制御部３２ｂと、速度−周波数探索起動周期対応テーブル３２ｃと、速度検出部３２ｄとから構成される。
【００４２】
速度検出部３２ｄは、無線部１４から出力される受信データを受け取り、その受信データに基づいて携帯電話装置３０Ａが移動した場合の移動速度を算出する処理手段であり、算出された移動速度のデータは、無線制御部３２ｂに渡される。
この実施形態のその他の構成は、実施形態３と同様であるので、その逐一の説明は省略する。
【００４３】
次に、図８を参照して、この実施形態の動作について説明する。
アンテナ１２において受信される、図示しない基地局からの無線信号（通信電波）から受信データへの復調処理は、実施形態３と同様であり、制御部３２Ａのレベル検出部３２ａにおける受信データに基づく受信電界レベル及び通信品質の検出も、実施形態３と同様である。
この受信電界レベルの検出と平行して携帯電話装置３０Ａが移動するときの移動速度が、無線部１４から供給される受信データを用いて速度検出部３２ｄで行われる。その移動速度データが、速度検出部３２ｄから無線制御部３２ｂへ渡される。
【００４４】
無線制御部３２ｂへは、レベル検出部３２ａから受信電界レベルが、実施形態３と同様にして渡される。
その無線制御部３２ｂでの受信電界レベルと移動速度に基づく無線部１４の受信信号周波数の探索起動周期の補正を行うが、その補正態様は、実施形態３と同様である。
【００４５】
このように、この実施形態の構成によれば、実施形態３のＧＰＳ用アンテナ及びＧＰＳ部を不要しつつ、実施形態３と同効を得ることができる。
【００４６】
以上、この発明の実施形態を、図面を参照して詳述してきたが、この発明の具体的な構成は、これらの実施形態に限られるものではなく、この発明の要旨を逸脱しない範囲の設計の変更等があってもそれらはこの発明に含まれる。
例えば、上記実施形態では、携帯電話装置の移動速度の検出に、ＧＰＳから得られる信号、又は復調された受信データに基づいて行う構成を説明したが、その他の移動速度の検出手段、例えば、加速度センサを用いてこの発明を構成してもよい。
また、移動速度から起動周期を導出する手段として、速度−起動周期対応テーブルを用いる例を説明したが、これに限らず、その他の起動周期導出手段、例えば、移動速度と起動周期との所定の関係式を予め用意し携帯電話装置の記憶手段に記憶し、この記憶手段から関係式を読み出しその式の演算から移動速度に対応する起動周期を得るようにしてこの発明を実施してもよい。
【産業上の利用可能性】
【００４７】
ここに開示している可搬型通信装置及びその起動周期補正方法は、携帯電話装置のほか、ＰＤＡ（Ｐersonal Ｄigital Ａssistace）等、被駆動対象の起動周期を移動速度で補正することを要する可搬型電気機器でも利用し得る。
【図面の簡単な説明】
【００４８】
【図１】この発明の実施形態１である携帯電話装置の電気的構成を示す図である。
【図２】同携帯電話装置の速度−ＡＦＣ機能起動周期対応テーブルを示す図である。
【図３】同携帯電話装置の処理手順を示すフローチャートである。
【図４】この発明の実施形態２である携帯電話装置の電気的構成を示す図である。
【図５】この発明の実施形態３である携帯電話装置の電気的構成を示す図である。
【図６】同携帯電話装置の速度−周波数探索起動周期対応テーブルを示す図である。
【図７】同携帯電話装置の処理手順を示すフローチャートである。
【図８】この発明の実施形態４である携帯電話装置の電気的構成を示す図である。
【図９】公知の携帯電話装置の電気的構成を示す図である。
【符号の説明】
【００４９】
１０、１０Ａ      携帯電話装置
１２      アンテナ
１４      無線部（被駆動手段）
１６ａ      レベル検出部（起動周期補正手段の一部）
１６ｂ      ＡＦＣ制御部（起動周期補正手段の一部）
１６ｃ      速度−ＡＦＣ機能起動周期対応テーブル（起動周期補正手段の一部）
１６ｄ      速度検出部（測定手段の一部）
１８      ＴＣＸＯ（駆動手段）
２０      ＧＰＳ用アンテナ（測定手段の一部）
２２      ＧＰＳ部（測定手段の一部）
３２ａ      レベル検出部（起動周期補正手段の一部）
３２ｂ      無線制御部（起動周期補正手段の一部）
３２ｃ      速度−周波数探索起動周期対応テーブル（起動周期補正手段の一部）
３２ｄ      速度検出部（測定手段の一部）
【図１】
2009077171.tif 000003
【図２】
2009077171.tif 000004
【図３】
2009077171.tif 000005
【図４】
2009077171.tif 000006
【図５】
2009077171.tif 000007
【図６】
2009077171.tif 000008
【図７】
2009077171.tif 000009
【図８】
2009077171.tif 000010
【図９】
2009077171.tif 000011